(57)【特許請求の範囲】
【請求項１】
ＴＳ信号化した映像信号を少なくとも１段中継して伝送する伝送システムにおいて、少なくとも１段の中継段に、当該中継段で検出した受信状態情報を、前記ＴＳ信号内のＮＵＬＬデータ期間で、後段の受信段に伝送する手段を有することを特徴とするデジタル伝送システム。
【請求項２】
請求項１の中継デジタル伝送システムにおいて、前記受信段に、受信したＴＳ信号から、前記受信状態情報を抽出し、前記対応する中継段における受信状態を表示する手段を有することを特徴とするデジタル伝送システム。
【請求項３】
請求項１乃至請求項２のデジタル伝送システムにおいて、方向調整モード設定器に連動する方向調整モード指示フラグの挿入機能を、前記映像等のＴＳ信号をデジタル変調して伝送する伝送送信部に追加し、方向調整モード指示フラグの検知器をデジタル変調信号を受信し復調するデジタル伝送受信部に追加し、検知結果に応じて方向調整モード設定を行うことを特徴とした中継デジタル伝送システム。
【請求項４】
請求項１乃至請求項３のデジタル伝送システムにおいて、方向調整時はＴＳ信号の正味信号レートを低下させる符号化部を備えたことを特徴とする中継デジタル伝送システム。
【請求項５】
請求項４の中継デジタル伝送システムにおいて、映像信号圧縮率を高めてＮＵＬＬデータの比率を高める事により、ＴＳ内の正味信号レートを低下させる符号化部を備えたことを特徴とする中継デジタル伝送システム。
【請求項６】
請求項３の中継デジタル伝送システムにおいて、伝送送信部は、前記方向調整モード設定器に連動する方向調整モード指示フラグを、ＴＭＣＣやＡＣ他の低階層変調に挿入する機能を有し、前記伝送受信部は、方向調整状態であることを出力する出力装置を備えたことを特徴とするデジタル伝送システム。
【発明の詳細な説明】
【技術分野】
【０００１】
本発明は、デジタル変調方式で変調された信号を受信し、中継を行うディジタル伝送装置において、無線伝送装置の受信状態を可視化し、受信装置側に伝送し、伝送状態の安定化を補助する機能向上に関する技術である。
【背景技術】
【０００２】
映像や音声信号の無線伝送には、数年前はアナログＦＭによる方法で映像や音声を伝送していたが、近年、ＱＡＭ（Ｑｕａｄｒａｔｕｒｅ  Ａｍｐｌｉｔｕｄｅ  Ｍｏｄｕｌａｔｉｏｎ）方式やＯＦＤＭ（Ｏｒｔｈｇｏｎａｌ  Ｆｒｅｑｕｅｎｃｙ  Ｄｉｖｉｓｉｏｎ  Ｍｕｌｔｉｐｌｅｘｉｎｇ）方式などによるデジタル伝送方式が用いられるようになっている。
【０００３】
このとき、伝送対象となるデータは、映像や音声信号をＭＰＥＧ処理により圧縮したＴＳ(Ｔｒａｎｓｐｏｒｔ  Ｓｔｒｅａｍ)などの伝送信号であるが、この場合、一般的には、デジタル変調した伝送信号を２次元データにマッピングして送信側から伝送し、受信側で２次元のデータを識別して伝送信号を再生する方式のデジタル伝送装置が使用される。ところで、上記したアナログ方式の場合、受信電界レベルによって映像や音声のＳ／Ｎが変化し、このため、例えばマラソンの中継など、電界レベルの変化が激しい移動伝送においては、中継された映像がノイズや乱れの多い品位の低い画像になり易かった。しかし、デジタル伝送方式によれば、デジタル化された情報が伝送されるので、エラー訂正処理が適用でき、このため、受信電界レベルが変化している伝送環境のもとでも、エラー訂正が働く電界レベル範囲であれば、同一の品位の映像が中継できる。反面、デジタル伝送方式では、電界レベルが或る限界値を下回るとエラー訂正が効かなくなり、この場合、突然、映像信号の再生が不可能になってしまうが、このときの電界レベルの下限値は、受信側での識別判定処理における信号状態により、或る程度、把握が可能である。例えば、伝送量が６０Ｍｂｐｓと比較的多い６４ＱＡＭ方式の場合、Ｃ／Ｎの最小値は２７ｄＢ程度なので受信電界レベルの下限値は約−７０ｄＢｍとなり、従って、映像の再生には、これ以上のレベルが必要になる。また、伝送量が３５Ｍｂｐｓと比較的少ない１６ＱＡＭ２方式の場合は、Ｃ／Ｎの最小値は１８ｄＢ程度なので受信電界レベルの下限値は約−８０ｄＢｍで、これ以上のレベルなら映像が再生できる。
そこで、このようなデータ訂正処理が適用されたデジタル伝送装置では、従来から、受信電界レベルの下限値を伝送状態や同期再生状態から把握できるようにしたものが知られている(例えば、特許文献１、特許文献３参照)。
【０００４】
以下、このようなデジタル伝送装置の一例について、図５により説明する。この図５は、データ訂正処理が適用されたデジタル伝送装置を映像を中継する場合に適用したときの従来技術の一例を示すブロック図で、この場合、例えば走行中のマラソン選手の画像を捉えている移動車などの撮影現場と放送局の間は、例えばマイクロ波帯の電波を用いた無線伝送形式となる。さらに、放送局から撮影現場が遠い場合、或いは途中に電波の伝播に障害となる物があった場合、放送局までの途中に中継部を設ける必要が生じる。この場合、受信基地が中継部で、例えば小高い丘などに設置され、２段中継伝送となる。
【０００５】
まず撮影現場では、図示していないテレビカメラで撮像した映像信号がＭＰＥＧエンコーダ５に入力され、ここで圧縮データＴＳに変換された後、送信部Ｔｘ１に供給される。そして、ここで変調されてマイクロ波帯の信号に周波数変換され、電力増幅されてからアンテナ１によりマイクロ波Ｗ１として送信され、受信基地にあるアンテナ２に向けて伝送される。こうして受信基地のアンテナ２に伝達されたマイクロ波Ｗ１は、受信部７に入力され、復調し再生圧縮データＴＳr に復元され、送信部Ｔｘ２で変調され、マイクロ波に変換され、アンテナ３から電波Ｗ２として、放送局のアンテナ４で受信される。アンテナ４はマイクロ波の電波Ｗ２を受信し、受信部Ｒｘ２で映像と音声が入った本線圧縮データＴＳｂ信号を再生する。
【０００６】
このとき、上述のように、受信電界レベルに下限値があるので、受信状態を把握する必要があり、受信状態伝送部６と電話回線等の低速回線と受信状態表示部８により、受信状態が観測できるようにしてある。そして、これにより、映像伝送の受信が中断する虞れの発生を予想し、それに備えて予め用意してある別のプログラムに切換えるなどの処置をとることができる。（特許文献４参照）
また、ＴＳ信号の伝送時に、再生されたＴＳ信号の中のＮＵＬＬデータを補助情報で置き換えることにより、補助情報の伝送手段を確保することも提案されている。（特許文献２参照）
次に、これら受信状態伝送部６と受信状態表示部８の詳細について説明すると、まず、図６は、受信状態伝送部６の一実施形態で、これには、図示のように、Ｒｘ１で復調された２次元データＤd の同相成分である信号Ｉと直交成分である信号Ｑが入力され、このとき映像信号も入力される。そして、これらの信号Ｉと信号Ｑは、夫々ＡＤ変換器２０１、２０２に入力され、デジタル変換されてから書込み部２０３に入力される。
【０００７】
ここで、図７は、この書込み部２０３の詳細で、ここに入力された信号Ｉと信号Ｑは、まず、合成器２０３−１により表示空間の２次元アドレスに変換される。そして、このときの変換結果は、ＷＥ発生器２０３−２から供給されるパルスＳ１によりホールドされ、アドレス出力となる。また、この合成器２０３−１は、信号Ｉの変化点と信号Ｑの変化点の論理和をとり、信号Ｉと信号Ｑの変化点タイミングを表わすパルスｈ１を生成し、ゲート２０３−４とゲート２０３−５に供給する。
【０００８】
このとき、ＷＥ発生器２０３−２は、コントロール部２０４から供給されるＥＮ(イネーブル)出力に応じて上記したパルスＳ１を発生すると共に、ＷＥ(ライトイネーブル)の源となるパルスＷ１を発生し、このパルスＷ１をゲート２０３−４とゲート２０３−５に供給する。そこで、ゲート２０３−４は、パルスｈ１によりパルスＷ１をオンオフし、パルスｈ１が現れていないときは、パルスＷ１をそのままＷＥとして出力すると共に、パルスＷ１とパルスｈ１の入力タイミングが一致した場合には、パルスＷ１をオフし、ＷＥとして出力されないようにする。
【０００９】
また、ゲート２０３−５は、同様にパルスＷ１の入力タイミングとパルスｈ１の入力が一致したとき、ＷＥ発生器２０３−２にパルスＥＮ１を供給して、コントロール部２０４からＷＥ発生器２０３−２に供給されているＥＮの入力をオフし、ＷＥ発生のタイミングを変更する働きをする。
【００１０】
更に、この書込み部２０３は、データとして常時レベルＨを出力し、これをコントロール部２０４に供給し、結果的に信号Ｉと信号Ｑの値に応じたメモリ空間にレベルＨのデータが書込まれるようにする。そして、この書込み部２０３からアドレス出力とデータ出力、それにコントロール用のＷＥ出力がコントロール部２０４に供給される。
【００１１】
また、この受信状態伝送部６は、初期化部２０５と読出し表示部２０６、それに読出し伝送部２０７を備えている。そして、まず、初期化部２０５からはアドレス出力とデータ出力、それにＷＥ出力がコントロール部２０４に入力される。このとき映像信号は、そのままコントロール部２０４に入力される。
【００１２】
この初期化部２０５の詳細が図８で、ここで、まずアドレス発生器２０５−１とＷＥ発生器２０５−２は、ＥＮの入力に応じて動作と停止が制御され、アドレス発生器２０５−１はアドレスを出力し、ＷＥ発生器２０５−２はＷＥを出力する。そして、データとしてはレベルＬを出力するようになっている。
【００１３】
従って、全体的な動作としては、ＥＮ入力に従ってアドレス発生器２０５−１に応じたメモリアドレス空間にレベルＬのデータを書込む動作となり、結果としてコンスタレーションが累積した表示空間を黒とする形で初期化が得られることになる。
【００１４】
一方、読出し表示部２０６と読出し伝送部２０７からは、アドレス出力とＲＥ(リードイネーブル)出力がコントロール部２０４に入力され、このとき、更に読出し伝送部２０７のアドレス出力は伝送器２０８にも供給され、コントローラ２０４からの読み出しデータも伝送器２０８に供給される。そして、この伝送器２０８の出力が伝送信号ＴＤt として出力されることになる。
【００１５】
ここで、図９は、読出し表示部２０６と読出し伝送部２０７の詳細で、まずアドレス発生器２０６−１とＲＥ発生器２０６−２は、ＥＮの入力に応じて動作と停止が制御される。そして、アドレス発生器２０６−１は表示画面に応じたアドレスを出力し、ＲＥ発生器２０６−２はＲＥを出力する。
【００１６】
全体的な動作としては、ＥＮ入力に従い、表示用のアドレス発生器２０６−１に応じたメモリアドレス空間のデータを読み出す。すなわち、コンスタレーションを累積した表示空間を、表示用の走査線タイミングに応じて出力することになる。
【００１７】
そして、まず、コントロール部２０４は、入力される映像信号に基づいて、書込み部２０３、初期化部２０５、読出し表示部２０６、読出し伝送部２０７に動作を許可する信号ＥＮを出力する。
【００１８】
また、このとき、書込み部２０３と初期化部２０５、読出し表示部２０６、読出し伝送部２０７の夫々から供給されたアドレス出力とデータ出力、それにコントロール用の信号であるＷＥとＲＥを、Ａメモリ２０９とＢメモリ２１０に切換選択して出力し、これらのＡメモリ２０９、Ｂメモリ２１０から読出したデータを加算器２１１に出力する。そこで、この加算器２１１は、Ａメモリ２０９とＢメモリ２１０から読出されたデータを映像信号に加算してコンスタ重畳映像信号ＣＶを作成し、それを出力する。
【００１９】
ここで、読出し伝送部２０７は、低速回線Ｍの伝送速度に合せた速度による読出しを可能にする働きをし、このとき、伝送器２０８は、図１０に示すように、読出し伝送部２０７の読出しアドレスに応じて読出したデータにヘッダを付加し、伝送信号ＴＤt として低速回線Ｍに送出する。
【００２０】
次に、この受信状態表示部８について、図５により説明する。図５において、この受信状態表示部８には、補助信号ＴＳｍが供給されるが、これは、図示のように、受信書込み部８に入力される。
【００２１】
ここで、図１２は、受信書込み部２１２の詳細で、補助信号ＴＳｍはヘッダ検出部２１２−１に供給され、ここで図１０で説明したヘッダが捕捉される。そして、その内容から、伝送されるメモリ区分のアドレスＡＷが検出され、それがアドレス発生部２１２−２に供給される。また、このとき、ヘッダ検出部２１２−１は、ヘッダの捕捉に伴って補助信号ＴＳｍの伝送の開始と終了を検出し、それをアドレス発生部２１２−２とＷＥ発生器２１２−３、それにＥＮ発生器２１２−４に指示する。そこで、アドレス発生２１２−２は、アドレスＡＷに従って、伝送受取りすべきデータに応じたアドレス値を発生する。一方、ＷＥ発生器２１２−３とＥＮ発生器２１２−４は、各々ＷＥ出力とＥＮ出力を発生し、伝送受取り、表示、初期化のタイミングをコントロール部２１３に知らせる働きをする。
【００２２】
図１１に戻り、ここで初期化部２１４は、図８で説明した初期化部２０５と同じで、読出し表示部２１５は、図９で説明した読出し表示部２０６と同じであり、更にＡメモリ２１６とＢメモリ２１７は、夫々図６のＡメモリ２０９とＢメモリ２１０と同じである。
【特許文献１】特開平６−３２６７３５号公報
【特許文献２】特開２０００−８３２１６号公報
【特許文献３】特開２００２−９４４８１号公報
【特許文献４】特開２００５−５１７５５号公報
【発明の開示】
【発明が解決しようとする課題】
【００２３】
しかし、電話回線は伝送の容量が少ないため、表示すべきコンスタレーション点の数が少なく、６４ＱＡＭ（６４点）３２ＱＡＭ（３２点）１６ＱＡＭ（１６点）では、蓄積が長く変化反映が遅く、ＢＰＳＫ（２点）やＱＰＳＫ（４点）では、表現ドット数は十分であるが、蓄積処理によって、状態変化の表示が遅れ気味となる。そのため、収束したコンスタレーションか、散らばったコンスタレーションかは一瞬では判断し難い。高速回線では、使用料の負担が大きい。また、本社（放送局）から遠い場所にある受信基地局等では上記状況を速やかに伝送するために、新たな映像伝送回線が必要となる。
【００２４】
ＴＳ信号の中のＮＵＬＬデータを補助情報で置き換えた場合は、元のＮＵＬＬデータの量に制限されてしまい、受信情報を高頻度に送ることができず、速やかな反応が必要な方調時の応答が緩慢となる。
【００２５】
さらに、方調用の特殊設定である旨が、受信側には判らない。
【００２６】
本発明は、上述の点に鑑みてなされたもので、複数段中継伝送の場合でも最終地点で途中の中継点での受信状態の監視が容易に得られるようにしたデジタル伝送装置を提供することを目的とする。
【課題を解決するための手段】
【００２７】
本発明は、上記課題を解決するため、ＴＳ信号化した映像信号を少なくとも１段中継して伝送する伝送システムにおいて、少なくとも１段の中継段に、当該中継段で検出した受信状態情報を、前記ＴＳ信号内の所定のＮＵＬＬデータ他の特定信号期間で、後段の受信段に伝送する手段を有する。
【００２８】
また、前記受信段に、受信したＴＳ信号から、前記受信状態情報を抽出し、前記対応する中継段における受信状態を表示する手段を有する。
【００２９】
さらに、方向調整モード設定器に連動する方向調整モード指示フラグの挿入機能を、前記映像等のＴＳ信号をデジタル変調して伝送する伝送送信部に追加し、方向調整モード指示フラグの検知器をデジタル変調信号を受信し復調するデジタル伝送受信部に追加し、検知結果に応じて方向調整モード設定を行う。
【００３０】
また、方向調整時はＴＳ内の正味信号レートを低下させる符号化部を備える。  
【００３１】
さらに、映像信号圧縮率を高めてＮＵＬＬデータ他の特定信号の比率を高める事により、ＴＳ内の正味信号レートを低下させる符号化部を備える。
【００３２】
また、伝送送信部は、前記方向調整モード設定器に連動する方向調整モード指示フラグを、ＴＭＣＣやＡＣ他の低階層変調に挿入する機能を有し、前記伝送受信部は、方向調整状態であることを出力する出力装置を備える。
【００３３】
つまり、本発明は、方向調整時は画質よりも方向調整を優先して、伝送信号ＴＳに受信状態情報と方向調整モード指示フラグとを多重して受信端に伝送する。
【発明の効果】
【００３４】
以上説明したように本発明によれば、新たな映像伝送回線を用いずに、隣接状態を可視化する情報を高速に伝送し、方調状態であることを報知可能であり、伝送状態の安定性を容易に判定可能とできる。
【００３５】
また、多重結果が所定容量をオーバーする場合であっても、一部の伝送データのリンクは確保できる。
【００３６】
本発明によれば、常時表示されるドット数が増加し、コンスタレーション等による伝送状態が速やかに伝送できるので、最終伝送地点でも中継点での受信状態を容易に監視することができる。収束状況を確認し易い。具体的には、小さな点に収束している様子が瞬時に判る。
【発明を実施するための最良の形態】
【００３７】
本発明による第一、第二、第三の実施例の構成と基本動作について図１、図２、図３、図４を用いて詳細に説明する。図１は、本発明の受信状態表示機能を備えたデジタル中継システムの一例を示すシステム構成図であり、図２は、本発明の受信状態表示機能を備えたデジタル中継システムの他の一例を示すシステム構成図（方向調整モード時は、ＮＵＬＬデータの多いＥＮＣ設定）であり、図３は、本発明のＮＵＬＬデータを増やしたストリームの一例を示す説明図であり、図４は、本発明の受信状態表示機能を備えたデジタル中継システムの別の一例を示すシステム構成図（方向調整モード時を、他地点へ伝送）である。
【００３８】
ＴＳ信号には情報量の多少や帰線期間などからＮＵＬＬデータがある。ＭＰＥＧエンコーダの圧縮率を上げれば、情報量が少なくなり正味信号レートが低下してＮＵＬＬデータが増加する。
【００３９】
まず、本発明の第１の実施形態の受信状態表示機能を備えたデジタル中継システムの一例を示すシステム構成図の図１を説明する。この図１の実施形態は、構成上は、図５の従来技術において、電話回線などの低速回線Ｍを削除し、替わりに、映像他のＴＳ信号内のＮＵＬＬデータを受信状態ＴＳ信号に差し替える特定ＴＳ差替器７を追加してある。その結果、本社でも、途中の中継点である受信基地での受信状態の監視が高速に得られるようにしたものである。
【００４０】
本発明と従来と共通の受信状態伝送部６と受信状態表示部８の説明は後で述べる。
【００４１】
まず撮影現場では、図示していないテレビカメラで撮像した映像信号がＭＰＥＧエンコーダ５に入力され、ここで圧縮データＴＳに変換された後、送信部Ｔｘ１に供給される。そして、ここで変調されてマイクロ波帯の信号に周波数変換され、電力増幅されてからアンテナ１によりマイクロ波Ｗ１として送信され、受信基地にあるアンテナ２に向けて伝送される。こうして受信基地のアンテナ２に伝達されたマイクロ波Ｗ１は、受信部７に入力され、復調し再生圧縮データＴＳr に復元され、送信部Ｔｘ２で変調され、マイクロ波に変換され、アンテナ３から電波Ｗ２として、放送局のアンテナ４で受信される。アンテナ４はマイクロ波の電波Ｗ２を受信し、受信部Ｒｘ２で映像と音声が入った本線圧縮データＴＳｂ信号を再生する。そして、受信状態表示部８から受信状態情報が出力される。
【００４２】
ＭＰＥＧ２等のコーデックは、所定レートの圧縮データを作成すべく動作するが、全ＴＳパケットを圧縮データとはできない。所定レートに一致させるため、通常３％前後以下の割合で、ＮＵＬＬデータを発生挿入する。このＮＵＬＬデータは、実際の復号時には使用されない。受信基地では、取り出した受信受信状態ＴＳ信号を、このＮＵＬＬデータを用いて、本社へ伝送する。このＮＵＬＬデータは、圧縮対象の映像内容によって、挿入比率の高まるケースと、逆に挿入比率の低下するケースとが、生じる。ＮＵＬＬデータが多い場合は、アンテナ方向を変更した結果が、続々と本社へ送られる。少ない場合、状況の更新が遅くなり、操作性に支障をきたす。
【００４３】
方向調整は本放送の前準備段階であり、映像信号圧縮率を高めて本線画質をやや低下させ、ＮＵＬＬデータの比率を高めても問題ない。図２は、本発明の受信状態表示機能を備えたデジタル中継システムの他の一例を示すシステム構成図であり、図３は、本発明のＮＵＬＬデータを増やしたストリームの一例を示す説明図である。この図２の実施形態は、構成上は、図１の実施形態において、方向調整モードを設定するモード設定部１１と、ＮＵＬＬデータを発生するＮＵＬＬ発生部１３とを追加してある。その結果、方向調整モード時は、映像信号圧縮率を高めて本線画質をやや低下させたＮＵＬＬデータの多いＥＮＣ設定となり、方向調整の時は、本放送の時よりも、受信基地での受信状態の監視がさらに高速に得られるようにしたものである。ＮＵＬＬデータではなく、別の特定データを多くして、別の特定データを受信状態ＴＳ信号に差し替えても構わない。
【００４４】
図４は、本発明の受信状態表示機能を備えたデジタル中継システムの別の一例を示すシステム構成図（方向調整モード時を、他地点へ伝送）である。この図４の実施形態は、構成上は、図１の実施形態において、送信部Ｔｘ１の替わりに送信部Ｔｘ３があり、送信部Ｔｘ３では方向調整モード設定器に連動する方向調整モード指示フラグをＴＭＣＣやＡＣ他の低階層変調に挿入し、受信基地や放送局の受信部Ｒｘ３、Ｒｘ４は、受信部Ｒｘ１、Ｒｘ２の機能に加えて方向調整モード指示フラグの検知器を備えて、方向調整状態であるフラグを出力し、方向調整状態を表示することにより、受信基地や本社の装置を自動的に方向調整モードに対応させる。方向調整モード指示フラグはＴＭＣＣやＡＣ他の低階層変調ではなく、他のデジタル変調で伝送しても構わない。
【００４５】
また、中継地点は１箇所に限定されるものではなく、その中継地点からの受信状態情報を、映像伝送信号の最終受信地点とは異なる別個の監視地点で集約することもできる。
【００４６】
次に、本発明と従来と共通の受信状態伝送部６と受信状態表示部８の詳細について説明すると、まず、図６は、受信状態伝送部６の一実施形態で、これには、図示のように、Ｒｘ１で復調された２次元データＤd の同相成分である信号Ｉと直交成分である信号Ｑが入力され、このとき映像信号も入力される。そして、これらの信号Ｉと信号Ｑは、夫々ＡＤ変換器２０１、２０２に入力され、デジタル変換されてから書込み部２０３に入力される。
【００４７】
ここで、図７は、この書込み部２０３の詳細で、ここに入力された信号Ｉと信号Ｑは、まず、合成器２０３−１により表示空間の２次元アドレスに変換される。そして、このときの変換結果は、ＷＥ発生器２０３−２から供給されるパルスＳ１によりホールドされ、アドレス出力となる。また、この合成器２０３−１は、信号Ｉの変化点と信号Ｑの変化点の論理和をとり、信号Ｉと信号Ｑの変化点タイミングを表わすパルスｈ１を生成し、ゲート２０３−４とゲート２０３−５に供給する。
【００４８】
このとき、ＷＥ発生器２０３−２は、コントロール部２０４から供給されるＥＮ(イネーブル)出力に応じて上記したパルスＳ１を発生すると共に、ＷＥ(ライトイネーブル)の源となるパルスＷ１を発生し、このパルスＷ１をゲート２０３−４とゲート２０３−５に供給する。そこで、ゲート２０３−４は、パルスｈ１によりパルスＷ１をオンオフし、パルスｈ１が現れていないときは、パルスＷ１をそのままＷＥとして出力すると共に、パルスＷ１とパルスｈ１の入力タイミングが一致した場合には、パルスＷ１をオフし、ＷＥとして出力されないようにする。
【００４９】
また、ゲート２０３−５は、同様にパルスＷ１の入力タイミングとパルスｈ１の入力が一致したとき、ＷＥ発生器２０３−２にパルスＥＮ１を供給して、コントロール部２０４からＷＥ発生器２０３−２に供給されているＥＮの入力をオフし、ＷＥ発生のタイミングを変更する働きをする。
【００５０】
更に、この書込み部２０３は、データとして常時レベルＨを出力し、これをコントロール部２０４に供給し、結果的に信号Ｉと信号Ｑの値に応じたメモリ空間にレベルＨのデータが書込まれるようにする。そして、この書込み部２０３からアドレス出力とデータ出力、それにコントロール用のＷＥ出力がコントロール部２０４に供給される。
【００５１】
また、この受信状態伝送部６は、初期化部２０５と読出し表示部２０６、それに読出し伝送部２０７を備えている。そして、まず、初期化部２０５からはアドレス出力とデータ出力、それにＷＥ出力がコントロール部２０４に入力される。このとき映像信号は、そのままコントロール部２０４に入力される。
【００５２】
この初期化部２０５の詳細が図８で、ここで、まずアドレス発生器２０５−１とＷＥ発生器２０５−２は、ＥＮの入力に応じて動作と停止が制御され、アドレス発生器２０５−１はアドレスを出力し、ＷＥ発生器２０５−２はＷＥを出力する。そして、データとしてはレベルＬを出力するようになっている。
【００５３】
従って、全体的な動作としては、ＥＮ入力に従ってアドレス発生器２０５−１に応じたメモリアドレス空間にレベルＬのデータを書込む動作となり、結果としてコンスタレーションが累積した表示空間を黒とする形で初期化が得られることになる。
【００５４】
一方、読出し表示部２０６と読出し伝送部２０７からは、アドレス出力とＲＥ(リードイネーブル)出力がコントロール部２０４に入力され、このとき、更に読出し伝送部２０７のアドレス出力は伝送器２０８にも供給され、コントローラ２０４からの読み出しデータも伝送器２０８に供給される。そして、この伝送器２０８の出力が伝送信号ＴＤt として出力されることになる。
【００５５】
ここで、図９は、読出し表示部２０６と読出し伝送部２０７の詳細で、まずアドレス発生器２０６−１とＲＥ発生器２０６−２は、ＥＮの入力に応じて動作と停止が制御される。そして、アドレス発生器２０６−１は表示画面に応じたアドレスを出力し、ＲＥ発生器２０６−２はＲＥを出力する。
【００５６】
全体的な動作としては、ＥＮ入力に従い、表示用のアドレス発生器２０６−１に応じたメモリアドレス空間のデータを読み出す。すなわち、コンスタレーションを累積した表示空間を、表示用の走査線タイミングに応じて出力することになる。
【００５７】
そして、まず、コントロール部２０４は、入力される映像信号に基づいて、書込み部２０３、初期化部２０５、読出し表示部２０６、読出し伝送部２０７に動作を許可する信号ＥＮを出力する。
【００５８】
また、このとき、書込み部２０３と初期化部２０５、読出し表示部２０６、読出し伝送部２０７の夫々から供給されたアドレス出力とデータ出力、それにコントロール用の信号であるＷＥとＲＥを、Ａメモリ２０９とＢメモリ２１０に切換選択して出力し、これらのＡメモリ２０９、Ｂメモリ２１０から読出したデータを加算器２１１に出力する。そこで、この加算器２１１は、Ａメモリ２０９とＢメモリ２１０から読出されたデータを映像信号に加算してコンスタ重畳映像信号ＣＶを作成し、それを出力する。
【００５９】
ここで、読出し伝送部２０７は、低速回線Ｍの伝送速度に合せた速度による読出しを可能にする働きをし、このとき、伝送器２０８は、図１０に示すように、読出し伝送部２０７の読出しアドレスに応じて読出したデータにヘッダを付加し、伝送信号ＴＤt として低速回線Ｍに送出する。
【００６０】
次に、この受信状態表示部８について、図５により説明する。図５において、この受信状態表示部８には、伝送信号ＴＳｂが供給されるが、これは、図示のように、受信書込み部８に入力される。
【００６１】
ここで、図１２は、受信書込み部２１２の詳細で、伝送信号ＴＳｂはヘッダ検出部２１２−１に供給され、ここで図１０で説明したヘッダが捕捉される。そして、その内容から、伝送されるメモリ区分のアドレスＡＷが検出され、それがアドレス発生部２１２−２に供給される。また、このとき、ヘッダ検出部２１２−１は、ヘッダの捕捉に伴って伝送信号ＴＳｂの伝送の開始と終了を検出し、それをアドレス発生部２１２−２とＷＥ発生器２１２−３、それにＥＮ発生器２１２−４に指示する。そこで、アドレス発生２１２−２は、アドレスＡＷに従って、伝送受取りすべきデータに応じたアドレス値を発生する。一方、ＷＥ発生器２１２−３とＥＮ発生器２１２−４は、各々ＷＥ出力とＥＮ出力を発生し、伝送受取り、表示、初期化のタイミングをコントロール部２１３に知らせる働きをする。
【００６２】
図１１に戻り、ここで初期化部２１４は、図８で説明した初期化部２０５と同じで、読出し表示部２１５は、図９で説明した読出し表示部２０６と同じであり、更にＡメモリ２１６とＢメモリ２１７は、夫々図６のＡメモリ２０９とＢメモリ２１０と同じである。
【図面の簡単な説明】
【００６３】
【図１】本発明の受信状態表示機能を備えたデジタル中継システムの一例を示すシステム構成図（受信状態をＴＳ多重して出力＆伝送）
【図２】本発明の受信状態表示機能を備えたデジタル中継システムの他の一例を示すシステム構成図（方向調整モード時は、ＮＵＬＬデータの多いＥＮＣ設定）
【図３】本発明のＮＵＬＬデータを増やしたストリームの一例を示す説明図
【図４】本発明の受信状態表示機能を備えたデジタル中継システムの別の一例を示すシステム構成図（方向調整モード時を、他地点へ伝送）
【図５】従来の受信状態表示機能を備えたデジタル中継システムの別の一例を示すシステム構成図（別回線で受信状態を伝送）
【図６】本発明と従来と共通の受信状態伝送部の一例を示すブロック図
【図７】本発明と従来と共通の書込み部の詳細ブロック図
【図８】本発明と従来と共通の初期化部の詳細ブロック図
【図９】本発明と従来と共通の読出し表示部と読出し伝送部の詳細ブロック図
【図１０】本発明と従来と共通のヘッダを付加した伝送信号を示す説明図
【図１１】本発明と従来と共通の受信状態表示部詳細ブロック図
【図１２】本発明と従来と共通の受信書込部詳細ブロック図
【符号の説明】
【００６４】
Ｔｘ１、Ｔｘ２、Ｔｘ３：送信部  Ｒｘ１、Ｒｘ２、Ｒｘ３、Ｒｘ４：受信部  
１、２、３、４：アンテナ
５、１２：ＭＰＥＧエンコーダ  ６、１６：受信状態伝送部
７：特定ＴＳ差し替え部  ８、１５：受信状態表示部
１１：モード設定部  １３：ＮＵＬＬ発生部  １４：ＴＳ多重部  
【図１】
0004724267.tif 000002
【図２】
0004724267.tif 000003
【図３】
0004724267.tif 000004
【図４】
0004724267.tif 000005
【図５】
0004724267.tif 000006
【図６】
0004724267.tif 000007
【図７】
0004724267.tif 000008
【図８】
0004724267.tif 000009
【図９】
0004724267.tif 000010
【図１０】
0004724267.tif 000011
【図１１】
0004724267.tif 000012
【図１２】
0004724267.tif 000013